(57)【要約】【課題】省電力化を図ることができる電波修正時計を提供する。【解決手段】竜頭７１０の操作にて時刻を修正した後、分情報および時情報を含む時刻情報を取得する初期受信処理をして時刻修正し、受信してからの経過時間を計時する。タイミングスケジュール情報に基づいて、定期的に受信させる。受信の際に経過時間に対応して、スケジュール情報選択手段４３２により所定の条件タイミング情報を受信スケジュール記憶手段４３３から選択する。条件タイミング情報の時間情報に基づいて、通常の受信を実施させる初期設定時刻より早い時刻で受信を開始させる。経過時間が長くなるに従って、受信するタイミングが早くなるとともに、受信させる作動時間長が長くなる。時刻修正に必要な最小限の時刻情報を取得する電力消費を最小限に抑制でき、省電力化を図ることができる。【選択図】  図１
2004279107.tif 000002
【特許請求の範囲】
【請求項１】
基準クロックに基づいて現時刻を計時する計時手段と、この計時された現時刻を表示する表示手段と、時刻情報を含んだ標準電波を受信する受信手段と、前記受信手段を駆動する受信電源手段を作動させる受信部電源供給制御手段と、前記受信手段で受信した時刻情報に基づいて前記計時手段の現時刻を修正する現時刻修正手段とを備えた電波修正時計であって、
前記受信部電源供給制御手段は、
前回の標準電波を受信した時からの経過時間を検出する経過時間検出手段と、前記受信電源手段を初期設定時刻に初期設定時間長で動作させて前記受信手段にて前記時刻情報を受信させる初期スケジュール情報、および、この初期スケジュール情報の初期設定時刻より所定時間早い時刻で、かつ、前記初期スケジュール情報の初期設定時間長より所定時間長い時間で前記受信電源手段を動作させる条件スケジュール情報を記憶する受信スケジュール情報記憶手段と、
前記経過時間の長さに応じて前記初期スケジュール情報または前記条件スケジュール情報を選択するスケジュール情報選択手段と、
このスケジュール情報選択手段にて選択された前記初期スケジュール情報または前記条件スケジュール情報に基づいて前記受信電源手段の作動を制御する電源手段制御手段と、を備えた
ことを特徴とした電波修正時計。
【請求項２】
請求項１に記載の電波修正時計において、
前記受信電源手段を動作させる前記所定時間は、前記時刻情報の一部のみを受信可能な時間長である
ことを特徴とした電波修正時計。
【請求項３】
基準クロックに基づいて現時刻を計時する計時手段と、この計時された現時刻を表示する表示手段と、時刻情報を含んだ標準電波を受信する受信手段と、前記受信手段を駆動する受信電源手段を作動させる受信部電源供給制御手段と、前記受信手段で受信した時刻情報に基づいて前記計時手段の現時刻を修正する現時刻修正手段とを備えた電波修正時計であって、
前記受信部電源供給制御手段は、
前回の標準電波を受信した時からの経過時間を検出する経過時間検出手段と、前記受信電源手段を動作させて前記受信手段にて前記時刻情報を受信させる開始時刻が前記経過時間の長さに応じて初期設定時刻に対して早い時刻に設定された条件スケジュール情報を記憶する受信スケジュール記憶手段と、
前記経過時間に応じて対応する前記開始時刻に設定された前記条件スケジュール情報を選択するスケジュール情報選択手段と、
このスケジュール情報選択手段にて選択された前記条件スケジュール情報に基づいて前記受信電源手段の作動を制御する電源手段制御手段と、を具備した
ことを特徴とした電波修正時計。
【請求項４】
請求項１ないし請求項３のいずれかに記載の電波修正時計において、
前記初期設定時刻および前記条件スケジュール情報の初期設定時刻より所定時間早い時刻は、前記計時手段にて計時する現時刻の秒情報が０秒となる基準時刻を基準として設定された
ことを特徴とした電波修正時計。
【請求項５】
請求項１ないし請求項４のいずれかに記載の電波修正時計において、
前記条件スケジュール情報は、前記経過時間の長さに応じて前記受信電源手段を動作させて前記受信手段で前記標準電波の受信を開始させる時刻が次第に早くなる状態で複数設定された
ことを特徴とした電波修正時計。
【請求項６】
請求項１ないし請求項５のいずれかに記載の電波修正時計において、
前記条件スケジュール情報は、前記経過時間の長さに応じて前記標準電波を受信させる所定時間長の長さが次第に長くなる状態で複数設定された
ことを特徴とした電波修正時計。
【請求項７】
請求項１ないし請求項６のいずれかに記載の電波修正時計において、
前記条件スケジュール情報の初期設定時刻より所定時間早い時刻は、前記計時手段による計時の精度と前記経過時間とに基づいて設定された
ことを特徴とした電波修正時計。
【請求項８】
請求項７に記載の電波修正時計において、
前記条件スケジュール情報の初期設定時刻より所定時間早い時刻は、月差精度の単位時間当たりの精度に前記経過時間を乗算した時間と、前記標準電波を前記受信手段にて受信させるのに必要な処理時間とに基づいて設定された
ことを特徴とした電波修正時計。
【請求項９】
請求項１ないし請求項８のいずれかに記載の電波修正時計において、
前記受信部電源供給制御手段は、前記受信手段により前記標準電波の受信にて少なくとも秒情報を取得した場合、前記経過時間をリセットする
ことを特徴とした電波修正時計。
【請求項１０】
請求項１ないし請求項９のいずれかに記載の電波修正時計において、
前記経過時間検出手段は、前記受信手段にて前記時刻情報を受信した時からの経過時間を前記基準クロックに基づいて計時する
ことを特徴とした電波修正時計。
【請求項１１】
請求項１ないし請求項１０のいずれかに記載の電波修正時計において、
前記受信部電源供給制御手段は、一度も標準電波を受信していない場合、時情報および分情報を含む時刻情報を前記受信手段にて受信させる
ことを特徴とした電波修正時計。
【請求項１２】
基準クロックに基づいて計時され表示される現時刻を、受信した時刻情報を含んだ標準電波に基づいて修正する電波修正時計の制御方法であって、
前回に前記標準電波の受信からの経過時間を計時し、
この計時する経過時間の長さに応じて、前記受信電源手段を初期設定時刻に所定時間で動作させて前記受信手段にて前記時刻情報を受信させる初期スケジュール情報、または、この初期スケジュール情報の初期設定時刻より早い時刻で、かつ、前記初期スケジュール情報の所定時間より長い時間で前記受信電源手段を動作させる条件スケジュール情報を選択し、
この選択した前記初期スケジュール情報または条件スケジュール情報に基づいて前記標準電波の受信を制御する
ことを特徴とする電波修正時計の制御方法。
【請求項１３】
基準クロックに基づいて計時され表示される現時刻を、受信した時刻情報を含んだ標準電波に基づいて修正する電波修正時計の制御方法であって、
前回に前記標準電波の受信からの経過時間を計時し、
この計時する経過時間の長さに応じて、前記時刻情報を受信させる開始時刻が初期設定時刻に対して早い時刻に設定された条件スケジュール情報を選択し、
この選択した条件スケジュール情報に基づいて前記標準電波の受信を制御する
ことを特徴とする電波修正時計の制御方法。
【発明の詳細な説明】
【０００１】
【発明の属する技術分野】
本発明は、電波修正時計およびその制御方法に関する。
【０００２】
【背景技術】
従来、時刻情報が重畳された長波標準電波を受信して時刻修正を行う電波修正時計が知られている。この従来の電波修正時計は、長波標準電波の時刻情報に基づいて適宜表示させる時刻を修正することで、煩わしい時刻合わせの操作を実施する必要がなくなる。
この従来の電波修正時計では、利用者が例えば表示されている時刻を所定時刻である０時（１２時）に変更する操作により、水晶振動子などの発振信号に基づいて１秒毎にカウントアップするカウント値をリセットさせ、表示される時刻とカウント値とを同期させる。そして、受信した時刻情報とカウント値とを比較し、認識した時刻差分に基づいてカウント値を修正するとともに、表示されている時刻を修正することで時刻修正をする構成が一般的に採られている。
【０００３】
ところで、例えば日本における時刻情報は、１分間の時刻コードのフォーマットを１フレームとして、この１フレーム中に秒情報や時分情報、日情報などの各情報を１ビットで１Ｈｚのパルス幅変調で送信する構成が採られている。そして、従来の電波修正時計では、受信状況も考慮して、複数フレームを取得して正しく時刻情報を取得する構成が採られている。
なお、受信動作は、時計において最も電力を消費する。このため、従来の電波修正時計では、時刻情報を取得するために、電力消費量が最も多い受信を数分間実施することとなる。
そこで、受信による消費電力の消費量を低減するために、時刻情報として秒情報を取得させて時刻修正をさせる構成が知られている（例えば、特許文献１）。
【０００４】
この特許文献１に記載の電波修正時計は、受信手段にて時刻情報を含む標準電波を受信し、この標準電波に基づいて０秒情報を認識する。そして、指針により表示される時刻に対応する針位置カウンタのカウント値と０秒情報とを比較し、針位置カウンタの秒桁のカウント値について０秒情報に対する進み遅れの状況を認識する。この進み遅れの状況に基づいて、カウント値が０秒情報のタイミングで０秒となるように時刻を修正する。
また、０秒情報と、カウント値との時刻差が所定時間範囲を超える場合には、分情報や時情報をも取得して、カウント値を修正している。
このように、通常は０秒情報を取得して時刻修正し、進み遅れ状況に応じて必要な時刻情報をも受信し、確実に時刻修正させるので、受信時刻が短縮し、省電力化が容易に図れ、効率よく時刻修正を実施している。
【０００５】
【特許文献１】
特開平５−１５７８５９号公報（第３頁右欄−第４頁右欄）
【０００６】
【発明が解決しようとする課題】
ところで、電波修正時計では周囲の電界状況、例えば磁界の影響や建物の奥で電波が届きにくいなどにより、標準電波を受信できない場合がある。また、海外出張等、標準電波を受信できない地域に滞在しているために電波を受信できないこともある。これらの場合、自動受信機能によって自動的に受信動作が行われても、標準電波を受信できず、時刻修正も行われない。そして、これら受信できない状況は少なくない状況である。
この時刻修正がある程度の時間を経過しても実施されない場合、通常のクオーツ時計と同様に、例えば月差２０秒程度の誤差が生じるおそれがある。このため、時刻修正が実施できない期間が長くなるほど誤差が大きくなる。
【０００７】
そして、上記特許文献１に記載の電波修正時計では、標準電波の受信を開始して０秒情報と針位置カウンタのカウント値との時間差を検出し所定時間範囲を超えた時間差があると、分情報や時情報を取得した後に受信を停止している。このため、ある程度の期間で受信ができなくなると、従来の構成と同様に、分情報や時情報をも取得しているので、受信時間が従来の構成と同様に長くなる。したがって、より電力消費の抑制が臨まれている。
【０００８】
本発明の目的は、このような点に鑑みて、省電力化を図ることができる電波修正時計およびその制御方法を提供することにある。
【０００９】
【課題を解決するための手段】
第１の発明の電波修正時計は、基準クロックに基づいて現時刻を計時する計時手段と、この計時された現時刻を表示する表示手段と、時刻情報を含んだ標準電波を受信する受信手段と、前記受信手段を駆動する受信電源手段を作動させる受信部電源供給制御手段と、前記受信手段で受信した時刻情報に基づいて前記計時手段の現時刻を修正する現時刻修正手段とを備えた電波修正時計であって、前記受信部電源供給制御手段は、前回の標準電波を受信した時からの経過時間を検出する経過時間検出手段と、前記受信電源手段を初期設定時刻に初期設定時間長で動作させて前記受信手段にて前記時刻情報を受信させる初期スケジュール情報、および、この初期スケジュール情報の初期設定時刻より所定時間早い時刻で、かつ、前記初期スケジュール情報の初期設定時間長より所定時間長い時間で前記受信電源手段を動作させる条件スケジュール情報を記憶する受信スケジュール情報記憶手段と、前記経過時間の長さに応じて前記初期スケジュール情報または前記条件スケジュール情報を選択するスケジュール情報選択手段と、このスケジュール情報選択手段にて選択された前記初期スケジュール情報または前記条件スケジュール情報に基づいて前記受信電源手段の作動を制御する電源手段制御手段と、を備えたことを特徴とするものである。
【００１０】
このような本発明では、通常時は、計時手段が基準クロックをカウントすることで現時刻を計時し、その現時刻は表示手段によって表示される。
一方、受信部電源供給制御手段は、例えば初期設定時刻が１時間毎となっている場合、その初期スケジュール情報の初期設定時刻に所定時間で受信手段に電源を供給させ、動作する受信手段にて時刻情報を含む標準電波を取得させる。そして、正しく時刻情報を取得した場合、現時刻修正手段により取得した時刻情報に基づいて現時刻が修正される。
【００１１】
一方、受信動作時に正しく時刻情報を受信できない場合、時刻修正は実施されない。
この受信失敗状態が続き、経過時間検出手段によって検出される前回の標準電波を受信してからの時間が、所定時間以上を経過した場合、スケジュール情報選択手段は、その経過時間の長さに対応して受信を開始させる時刻が初期設定時刻より早い時刻の条件スケジュール情報を選択し、この条件スケジュール情報の初期設定時刻より早い開始時刻に初期スケジュール情報の所定時間より長い時間で時刻情報を受信させる制御をする。
【００１２】
このことにより、例えば、ビル内などの標準電波を受信し難い場所に電波修正時計が放置されていたり、海外に旅行、出張などで滞在している場合など、長期間電波受信に失敗している場合、その受信を失敗している期間に応じて基準クロックに基づいて計時する現時刻に生じる誤差が大きくなっても、その誤差を見込んで早めに時刻情報を受信させるので、誤差を見込んだ最小限の時間で秒情報などの必要な時刻情報を取得することが可能となり、標準電波の受信動作の消費電力が最小限に抑制される。したがって、電池駆動の場合であれば電池寿命を長期化でき、コンセントからの商用電源を用いている場合でも省エネルギ化が図れる。
【００１３】
ここで、第１の発明において、前記受信電源手段を動作させる前記所定時間は、前記時刻情報の一部のみを受信可能な時間長であることが好ましい。
このような構成では、時刻情報の一部である例えば秒情報のみを受信可能な時間長の所定時間で受信電源手段を動作させるので、時刻修正に必要な時刻情報を取得する時間が最小限となり、消費電力が最小限に抑制されることが容易に得られる。
【００１４】
第２の発明の電波修正時計は、基準クロックに基づいて現時刻を計時する計時手段と、この計時された現時刻を表示する表示手段と、時刻情報を含んだ標準電波を受信する受信手段と、前記受信手段を駆動する受信電源手段を作動させる受信部電源供給制御手段と、前記受信手段で受信した時刻情報に基づいて前記計時手段の現時刻を修正する現時刻修正手段とを備えた電波修正時計であって、前記受信部電源供給制御手段は、前回の標準電波を受信した時からの経過時間を検出する経過時間検出手段と、前記受信電源手段を動作させて前記受信手段にて前記時刻情報を受信させる開始時刻が前記経過時間の長さに応じて初期設定時刻に対して早い時刻に設定された条件スケジュール情報を記憶する受信スケジュール記憶手段と、前記経過時間に応じて対応する前記開始時刻に設定された前記条件スケジュール情報を選択するスケジュール情報選択手段と、このスケジュール情報選択手段にて選択された前記条件スケジュール情報に基づいて前記受信電源手段の作動を制御する電源手段制御手段と、を具備したことを特徴とするものである。
【００１５】
このような本発明では、初期設定時刻の受信動作時に正しく時刻情報を受信できない状態が続き、経過時間検出手段によって検出される前回の標準電波を受信してからの時間が、所定時間以上を経過した場合、スケジュール情報選択手段は、その経過時間の長さに対応して受信を開始させる時刻が初期設定時刻より早い時刻の条件スケジュール情報を選択し、この条件スケジュール情報の初期設定時刻より早い開始時刻に時刻情報を受信させる制御をする。
このような構成によれば、上述した第１の発明と同様の作用効果を奏する。
【００１６】
ここで、第１の発明および第２の発明において、前記初期設定時刻および前記条件スケジュール情報の初期設定時刻より所定時間早い時刻は、前記計時手段にて計時する現時刻の秒情報が０秒となる基準時刻を基準として設定されたことが好ましい。
このような構成では、初期設定時刻および条件スケジュール情報の初期設定時刻より所定時間早い時刻を、計時手段にて計時する現時刻の秒情報が０秒であるカウント値が「００秒」となる基準時刻を基準として設定する。このことにより、例えば受信する時刻情報として少なくとも０秒情報を取得することが容易となり、受信を開始させる時刻として基準時刻を基準に例えば誤差分を考慮するのみでよく、受信時間の短縮が容易に図れ、省電力化が容易に図れる。
そして、前記条件スケジュール情報は、前記経過時間の長さに応じて前記受信電源手段を動作させて前記受信手段で前記標準電波の受信を開始させる時刻が次第に早くなる状態で複数設定されたことが好ましい。
このような構成では、条件スケジュール情報が、経過時間の長さに応じて受信を開始させる時刻が次第に早くなる状態で複数設定されているので、受信する時刻情報に基づいて現時刻の修正ができなくなる経過時間が長くなるに従って現時刻に生じ得る誤差も大きくなるので、最小限の時間で時刻情報が良好に受信される。
【００１７】
また、前記条件スケジュール情報は、前記経過時間の長さに応じて前記標準電波を受信させる所定時間の長さが次第に長くなる状態で複数設定されたことが好ましい。
このような構成では、経過時刻の長さに応じて受信させる所定時間の長さが長くなるので、経過時刻の長さが長くなるにしたがって誤差が大きくなって、秒単位以上で誤差が生じても、受信させる時間長を長くすることで時刻修正に必要な情報が取得しやすくなり、現時刻が正しく修正される。
【００１８】
さらに、前記条件スケジュール情報の初期設定時刻より所定時間早い時刻は、前記計時手段による計時の精度と前記経過時間とに基づいて設定されたことが好ましい。
このような構成では、計時手段による計時の精度と経過時間とに基づいて、受信を開始させる初期設定時刻より早くなる時刻を設定する。このことにより、例えば時刻修正に必要な時刻情報の一部である０秒情報を取得するために、計時時間に伴って変動する計時の精度が考慮されて受信を開始する時刻が設定されるので、最小限の時間で時刻情報の良好な受信が容易に得られる。
【００１９】
そして、前記条件スケジュール情報の初期設定時刻より所定時間早い時刻は、月差精度の単位時間当たりの精度に前記経過時間を乗算した時間と、前記標準電波を前記受信手段にて受信させるのに必要な処理時間とに基づいて設定されたことが好ましい。
このような構成では、月差精度の単位時間当たりの精度に経過時間を乗算した時間と、受信に必要な処理時間とに基づいて受信を開始させる初期設定時刻より早くなる時刻を設定する。このことにより、例えば時刻修正に必要な時刻情報の一部である０秒情報を取得するために、計時時間に伴って変動する計時の精度に受信に必要な処理時間が考慮されて受信を開始する時刻が設定されるので、最小限の時間で時刻情報の良好な受信が確実に得られ、良好な時刻修正が得られる。
【００２０】
さらに、前記受信部電源供給制御手段は、前記受信手段により前記標準電波の受信にて少なくとも秒情報を取得した場合、前記経過時間をリセットすることが好ましい。
このような構成では、標準電波の受信にて少なくとも秒情報を取得した場合には、受信部電源供給制御手段により経過時間をリセットする。このことにより、秒情報の取得にて時刻の少なくとも秒情報が修正されることで、次に受信する際には再び計時される経過時間に基づいて受信する時間条件が設定され、受信状況に対応して生じる誤差に応じた効率的な時刻情報の受信が可能となる。
【００２１】
そして、前記経過時間検出手段は、前記受信手段にて前記時刻情報を受信した時からの経過時間を前記基準クロックに基づいて計時することが好ましい。
このような構成では、経過時間検出手段により、受信手段で時刻情報を受信した時からの経過時間を基準クロックに基づいて計時する。このことにより、計時により生じる現時刻の誤差の大きさと経過時間の長さとが対応するので、経過時間に基づいてこの経過時間の長さに対応する条件スケジュール情報が設定され、誤差の大きさに対応して時刻修正に必要な時刻情報を取得するための最小限の時間で受信させることが容易に得られる。
【００２２】
そして、前記表示手段にて表示される現時刻を記憶するとともに前記基準クロックに基づいて現時刻をカウントアップする現時刻情報記憶手段を具備し、前記現時刻修正手段は、前記現時刻情報記憶手段に記憶する現時刻を前記受信手段にて受信した前記時刻情報に修正することが好ましい。
このような構成では、表示手段で表示され基準クロックに基づいてカウントアップされる現時刻情報記憶手段に記憶する現時刻を、現時刻修正手段にて受信手段にて受信した時刻情報に修正する。このことにより、例えば指針にて現時刻を表示する場合の指針の位置を検出する検出手段を備えない構成や検出手段を備える構成においても、表示される時刻と時刻修正する現時刻とを一致させる構成にて正しく現時刻を修正させることが可能となる。
【００２３】
さらに、前記受信部電源供給制御手段は、一度も標準電波を受信していない場合、時情報および分情報を含む時刻情報を前記受信手段にて受信させることが好ましい。
このような構成では、一度も標準電波を受信していない場合には、受信部電源供給制御手段により時情報および分情報を含む時刻情報を受信手段にて受信させる。このことにより、例えば針位置を検出する検出手段を備えない構成においても、時情報および分情報を取得して針位置と時刻修正に利用する計時する時刻との同期が容易に得られて良好な時刻修正が容易に得られる。
【００２４】
第３の発明の電波修正時計の制御方法は、基準クロックに基づいて計時され表示される現時刻を、受信した時刻情報を含んだ標準電波に基づいて修正する電波修正時計の制御方法であって、前回に前記標準電波の受信からの経過時間を計時し、この計時する経過時間の長さに応じて、前記受信電源手段を初期設定時刻に所定時間で動作させて前記受信手段にて前記時刻情報を受信させる初期スケジュール情報、または、この初期スケジュール情報の初期設定時刻より早い時刻で、かつ、前記初期スケジュール情報の所定時間より長い時間で前記受信電源手段を動作させる条件スケジュール情報を選択し、この選択した前記初期スケジュール情報または条件スケジュール情報に基づいて前記標準電波の受信を制御することを特徴とするものである。
【００２５】
この第３の発明の電波修正時計の制御方法によれば、上述した第１の発明と同様の作用効果を奏する。
【００２６】
この第３の発明において、前記標準電波を受信させる所定時間は、前記時刻情報の一部のみを受信可能な時間長とすることが好ましい。
【００２７】
第４の発明の電波修正時計の制御方法は、基準クロックに基づいて計時され表示される現時刻を、受信した時刻情報を含んだ標準電波に基づいて修正する電波修正時計の制御方法であって、前回に前記標準電波の受信からの経過時間を計時し、この計時する経過時間の長さに応じて、前記時刻情報を受信させる開始時刻が初期設定時刻に対して早い時刻に設定された条件スケジュール情報を選択し、この選択した条件スケジュール情報に基づいて前記標準電波の受信を制御することを特徴とするものである。
【００２８】
この第４の発明の電波修正時計の制御方法によれば、上述した第２の発明と同様の作用効果を奏する。
【００２９】
この第２の発明において、前記初期設定時刻および前記条件スケジュール情報の初期設定時刻より所定時間早い時刻は、前記計時手段にて計時する現時刻の秒情報が０秒となる基準時刻を基準として設定されたことが好ましい。
そして、前記条件スケジュール情報は、前記経過時間の長さに応じて前記標準電波の受信を開始させる時刻が次第に早くなる状態で複数設定されたことが好ましい。
また、前記条件スケジュール情報は、前記経過時間の長さに応じて前記標準電波を受信させる所定時間の長さが次第に長くなる状態で複数設定されたことが好ましい。
さらに、前記条件スケジュール情報の初期設定時刻より所定時間早い時刻は、前記計時手段による計時の精度と前記経過時間とに基づいて設定されたことが好ましい。
そして、前記条件スケジュール情報の初期設定時刻より所定時間早い時刻は、月差精度の単位時間当たりの精度に前記経過時間を乗算した時間と、前記標準電波を前記受信手段にて受信させるのに必要な処理時間とに基づいて設定されたことが好ましい。
さらに、前記標準電波の受信の際に少なくとも秒情報を取得したことを認識すると、前記経過時間をリセットすることが好ましい。
そして、前記時刻情報を受信した時からの経過時間は、前記基準クロックに基づいて計時することが好ましい。
また、一度も前記標準電波を受信していない場合には、時情報および分情報を含む時刻情報を前記受信手段にて受信させることが好ましい。
【００３０】
これらのような構成によれば、上述した第１の発明および第２の発明における他の態様と同様の作用効果を奏する。
【００３１】
【発明の実施の形態】
以下、本発明の一実施の形態を図面に基づいて説明する。
なお、本実施の形態では、時針、分針および秒針を備え時刻を指針により表示する指針式時計、いわゆるアナログ時計について説明するが、本発明は、カレンダ機能を有したものや、液晶あるいはＥＬ（ｅｌｅｃｔｒｏｌｕｍｉｎｅｓｃｅｎｃｅ）などによるデジタル表示式のものなどにも適用でき、クロックあるいはウオッチのいずれにも適用できる。また、本実施の形態では、指針位置を検出する構成を有しないものについて説明するが、指針位置を検出して時刻修正をする構成でも適用できる。
【００３２】
〔電波修正時計の構成〕
図１は、本発明における一実施の形態の電波修正時計１００の内部構成を示すブロック図である。
図１において、１００は電波修正時計で、この電波修正時計１００は、ケース体１０１を備えている。
そして、ケース体１０１内には、時刻情報を含んだ無線情報である標準電波を受信する受信手段としての受信部２００と、基準クロックを生成する基準信号生成部３００と、装置全体の動作を制御する制御回路４００と、時刻を表示する現時刻表示手段としての表示部５００と、制御回路４００からの指令を受けて表示部５００の駆動を制御する駆動制御部６００と、外部から操作するための外部操作入力部７００とを備えて構成されている。
【００３３】
受信部２００は、時刻情報を含んだ標準電波を受信するアンテナ２１０と、アンテナ２１０で受けた時刻情報を処理、例えば増幅や復調などを実施する受信回路２２０と、受信回路２２０で処理された信号から時刻情報をデコードするデコード回路２３０と、受信回路２２０に電力を供給する受信電源手段としての受信電源回路２４０とを備えて構成されている。
アンテナ２１０は、例えばフェライト棒にコイルが巻装されて構成されたフェライトアンテナなどが用いられる。
【００３４】
受信回路２２０は、同調コンデンサなどにて構成された図示しない同調回路を備えている。そして、受信回路２２０は、同調回路で設定された周波数の標準電波をアンテナ２１０で受信させるように構成されている。
また、受信回路２２０は、図示しない、増幅回路、バンドパスフィルタ、復調回路などを備え、受信した電波を波形整形し、復調して時刻コードを表す矩形パルスとしてデコード回路２３０に出力する。デコード回路２３０は、矩形パルスを変換し、デジタルデータである時刻情報すなわちタイムコードを取り出す。この取り出したタイムコードは制御回路４００に出力される。受信電源回路２４０は、例えばケース体１０１内に着脱可能に装着される図示しないボタン電池などの電源からの電力を利用して受信回路２２０に電力を供給する。
【００３５】
ここで、受信する標準電波としては、例えば日本の長波標準電波（ＪＪＹ）などが利用できる。例えば、日本国内においては、送信周波数４０ｋＨｚのおおたかどや山（東日本）の標準電波出力局と、送信周波数６０ｋＨｚのはがね山（西日本）の標準電波出力局との２種類の周波数のものである。
この長波標準電波のタイムコードフォーマットでは、１秒（１Ｈｚ）ごとに一つの信号が送信され、１分（６０秒）で１レコード（１フレーム）として構成されている。すなわち、１フレームが６０ビットのデータとなっている。また、データ項目として現時刻の分、時、現在年の１月１日からの通算日、年（西暦下２桁）、曜日およびうるう秒が含まれている。なお、秒の項目がないが、これは時刻情報が毎分０秒の時刻データであるためである。各項目の値は、各秒毎に割り当てられた数値の組み合わせによって構成され、この組み合わせのＯＮ、ＯＦＦが信号の種類から判断される。
また、１フレームの最初および最後の１秒間には、パルス幅が２００ｍｓの信号が設けられている。したがって、２秒間に２００ｍｓの信号が連続して認識される場合、２回目の信号を取得、すなわちパルスの立ち上がりが次のフレームの始まりである０秒となる。
【００３６】
基準信号生成部３００は、基準クロックを生成し、この生成した基準クロックを制御回路へ出力する。この基準信号生成部は、発振回路３１０と、分周回路３２０とを備えている。
発振回路３１０には、図示しない水晶振動子などの基準信号源が接続されている。そして、発振回路３１０は、基準信号源を高周波発振させ、この高周波発振により発生する発振信号を分周回路３２０に出力する。
分周回路３２０は発振回路３１０に接続され、発振回路３１０から出力される発振信号を受信する。そして、分周回路３２０は、受信した発振信号を分周し、所定の基準信号、例えば１Ｈｚの信号として制御回路に出力する。
【００３７】
制御回路４００は、計時手段としての現時刻情報記憶手段４１０と、計時手段の現時刻を修正する現時刻修正手段４２０と、受信部電源供給制御手段４３０とを備えて構成されている。
【００３８】
現時刻情報記憶手段４１０は、例えばＲＡＭ（Ｒａｎｄｏｍ  Ａｃｃｅｓｓ  Ｍｅｍｏｒｙ）などを備え、基準信号生成部３で生成される基準クロックをカウントして○時○分○秒のカウント値として現時刻を計時する計時工程を実施する。そして、現時刻情報記憶手段４１０で計時される現時刻は表示部５００に出力されて表示される。
【００３９】
現時刻修正手段４２０は、受信部２００によって受信された時刻情報が入力されると、この時刻情報に基づいて現時刻を修正する現時刻修正工程を実施する。この際、現時刻修正手段４２０は、受信成功か否かを判断する。具体的には、標準電波のパルス状のコード信号の立ち下がりから次の立ち下がりまでの時間間隔が１秒±６２．５ｍｓ以内か否かを立ち下がり毎に判定する。そして、例えば４回連続して１秒±６２．５ｍｓ以内であると判定した場合には、標準電波の受信が成功していると判断する。
また、現時刻修正手段４２０は、受信部２００で受信された時刻情報が正確であるか否かを判断する。この受信した時刻情報が正確であるか否かは、例えば、長波標準電波であれば、１分間隔で送信されてくる時刻情報を複数フレーム（通常は、２〜３フレーム）で受信し、受信した各時刻情報が所定の時刻差になっているか否かで判断する。例えば、各時刻情報を連続して受信した場合は、各時刻情報が１分間隔の時刻情報になっているか否かで判断する。
そして、現時刻修正手段４２０は、受信した時刻情報が正確であると判断した場合、その時刻情報に受信時から経過した分の時間を加算して新たな現在時刻を求める。さらに、現時刻修正手段は、この新たな現時刻を現時刻情報記憶手段４１０に記憶させる、すなわち現時刻を上書き修正する。
【００４０】
受信部電源供給制御手段４３０は、経過時間検出手段４３１、スケジュール情報選択手段４３２、受信スケジュール記憶手段４３３、電源手段制御手段としての電源回路制御手段４３４を備えて構成されている。
【００４１】
経過時間検出手段４３１は、現時刻修正手段４２０で時刻修正が実施されてからの経過時間（例えば、経過日数）を計時する。
経過時間検出手段４３１は、現時刻修正手段４２０で時刻修正が実施されると、その信号を受けて計時を開始し、現時刻情報記憶手段４１０から１日（２４時間）間隔で出力される１日信号により経過時間（経過日数）をカウントすることで計時する。この１日信号のカウント数は、現時刻修正手段４２０からの時刻修正信号、つまり電波受信に成功した信号によってリセットされて再カウントされるため、経過時間検出手段４３１は、常に、受信部２００で前回の電波を受信してから現在までの経過時間をカウントする。
【００４２】
スケジュール情報選択手段４３２は、あらかじめ設定されたスケジュール情報に基づいて、経過時間検出手段４３１で求められた経過時間に応じたスケジュール情報を受信スケジュール記憶手段４３３から読み取って設定する処理をする。なお、本実施の形態においては、スケジュール情報として、受信時期に関するタイミングスケジュール情報と、受信の条件に関する条件スケジュール情報との２種類が設定されている。
【００４３】
タイミングスケジュール情報は、所定間隔、例えば１日に複数回で標準電波を自動的に受信するための時刻である初期設定時刻についての情報である。この初期設定時刻は、標準電波を受信部２００で受信させるのに必要な処理時間を考慮し、現時刻情報記憶手段４１０で記憶する現時刻の秒情報が０秒、すなわち秒情報のカウンタ値が「００秒」となる基準時刻より数秒程度早い時刻に設定されている。
すなわち、受信に必要な処理時間は、例えば受信電源回路２４０から電力を供給させて標準電波を受信させ、現時刻修正手段４２０にて標準電波のパルス状のコード信号の立ち下がりから次の立ち下がりまでの時間間隔が１秒±６２．５ｍｓ以内であることを４回連続して認識するための時間長、例えば１０秒程度である。
【００４４】
また、条件スケジュール情報は、例えばタイミングスケジュール情報の初期設定時刻に基づく標準電波の受信を、所定の時期に所定期間で実施させるための時間情報を有している。すなわち、経過時間検出手段４３１で検出する経過時間の長さに対応して受信させる時刻を少なくとも初期設定時刻に対して所定時間早い時刻に関する情報と、経過時間の長さに対応して時刻情報の一部である０秒情報を受信させるための所定時間長に関する情報とを有している。なお、０秒情報は、タイムコードの一部、すなわち２秒間に２００ｍｓの信号が連続する際の２つめのパルスの立ち上がり時である。
そして、条件スケジュール情報の初期設定時刻に対して所定時間早い時刻は、電波修正時計１００における時間修正をせずに通常のクオーツ時計として機能させた場合における月差精度と経過時間とに基づいて設定される。すなわち、月差精度の単位時間当たりの精度である誤差の時間に経過時間を乗算した時刻と、上述した標準電波を受信部２００で受信させるのに必要な処理時間とに基づく。
【００４５】
すなわち、条件スケジュール情報を具体的に説明すると、経過時間が例えば１０日未満であれば、タイミングスケジュール情報に基づいて次に受信する時刻は、基準時刻の秒情報のカウント値が００秒に対して２０秒前から１０秒後、秒情報のカウント値で「４０秒」から「１０秒」までの時間とする。すなわち、初期設定時刻が基準時刻より数秒程度早い時刻で、この時刻よりもさらに例えば月差±２０秒の精度と経過時間の１０日とに基づく誤差の時間を考慮して基準時刻の±１０秒に、上述した受信の処理時間（１０秒）を考慮し、基準時刻に対して初期設定時刻より所定時間である誤差の時間分早い時刻となる２０秒前から１０秒後、に設定される。
また、経過時間が例えば１０日以上２０日未満であれば、秒情報のカウント値が初期設定時刻の００秒に対して３０秒前から２０秒後、秒情報のカウント値で「３０秒」から「２０秒」までの時間とする。すなわち、この場合にも、精度と経過時間の２０日とに基づく誤差の時間を考慮して基準時刻の±２０秒に、上述した受信の処理時間を考慮し、基準時刻に対して初期設定時刻より所定時間である誤差の時間分早い時刻となる３０秒前から２０秒後、に設定される。
さらに、経過時間が例えば２０日以上であれば、秒情報のカウント値が初期設定時刻の００秒に対して４０秒前から２分後、秒情報のカウント値で「２０秒」から分情報のカウント値が２分間分繰り上がった「００秒」までの時間とする。すなわち、この場合には、長期間受信できないことから、誤差分が判断できないので、少なくとも１フレーム分取得して少なくとも１回は確実に０秒情報を取得できるような時間長の２分間に、上述した受信の処理時刻などを考慮し、基準時刻に対して初期設定時刻より所定時間である誤差の時間分早い時刻となる４０秒前から２分後、に設定される。
このように、条件スケジュール情報は、経過時間が長くなるに従って、所定時間が次第に長くなって受信を開始する時刻が次第に早くなるとともに、受信する作業時間長となる所定時間長も長くなるように設定されている。
【００４６】
受信スケジュール記憶手段４３３は、上述したタイミングスケジュール情報と、条件スケジュール情報とを読み出し可能に記憶する。
【００４７】
電源回路制御手段４３４は、受信スケジュール記憶手段４３３に記憶されたスケジュール情報に基づいて受信電源回路２４０の作動を制御し、受信回路２２０への電源（電力、電気エネルギ）供給を制御する。すなわち、スケジュール情報は、具体的には、受信電源回路２４０を定期的に作動させる際の作動時間間隔を定める情報である。
そして、電源回路制御手段４３４は、受信電源回路２４０を作動させた後は、所定時間経過すると受信電源回路２４０を停止して受信動作を終了するように設定されている。この受信電源回路２４０が作動されて電波受信が行われる時間は、上述した条件スケジュール情報における経過時間に対応する受信時間、すなわち経過時間が１０日未満では３０秒間、１０日以上２０日未満では５０秒間、２０日以上では２分２０秒間、またタイミングスケジュール情報における時刻情報の全てを取得する条件では、標準電波にノイズなどが乗って誤信号を含んでいないかを判断するために、２〜６つ程度の複数フレームの時刻情報を受信するために２〜６分間程度作動させればよい。
なお、電源回路制御手段４３４は、標準電波の受信が成功したか否かを設定する。例えば、受信フラグとして「０」であれば、１回も受信できていない旨を意味し、１であればタイミングスケジュール情報に基づく受信ができ、時刻修正が実施された旨を意味する。
【００４８】
表示部５００は、アナログ式であり、目盛を有するケース体を構成する文字板５１０と、時針５２０と、分針５３０と、秒針５４０と、を備えて構成されている。なお、文字板５１０は、目盛が設けられたものに限らず、時刻を表す数値が表示されたもの、数値を有しない無地のもの、各種キャラクタなどが印刷されたものなど、いずれのものでもよい。さらには、文字板を有しない構成でもよい。時針５２０、分針５３０および秒針５４０は、駆動制御部６００により適宜運針される。そして、時針５２０、分針５３０および秒針５４０は、文字板５１０の目盛に対する指針状況により時刻を表示する。なお、文字板５１０を設けない構成では、各時針５２０、分針５３０および秒針５４０の互いの回動状況により利用者が時刻を認識するようになっている。
【００４９】
駆動制御部６００は、制御回路４００からの指令を受けて、表示部５００の指針（時針５２０、分針５３０、秒針５４０）を運針させるための例えばステッピングモータなどの駆動手段６１０と、この駆動手段６１０を駆動させるパルス信号を出力する駆動制御回路６２０と、を備えている。
駆動制御回路６２０は、現時刻情報記憶手段４１０の現時刻が１つカウントアップして１秒分加算されるたびに、現時刻情報記憶手段４１０から出力される１Ｈｚのモータ駆動パルスに基づいてステッピングモータを駆動させ、各指針を運針させる。
【００５０】
外部操作入力部７００は、例えば利用者が操作する竜頭７１０と、検出スイッチ７２０と、を備えて構成されている。
竜頭７１０は、ケース体１０１に対して押引操作が可能に設けられている。そして、利用者が手動により竜頭７１０が引き出された状態で回転操作することにより指針を回動させて表示する時刻が変更可能な状態にし、竜頭７１０が押し込まれた状態で手動による時刻の変更が不可能で通常の駆動制御部６００による運針が実施される状態となる。
検出スイッチ７２０は、竜頭７１０が押し込まれた状態および引き出された状態によりオンオフする構造となっている。この検出スイッチ７２０のオンオフの電気信号は、制御回路４００にて認識される。すなわち、竜頭７１０が引き出された状態で、駆動制御回路６２０からのモータ駆動パルスの出力を停止させて駆動手段６１０による運針を停止させ、竜頭７１０が押し込まれた状態で駆動制御回路６２０からモータ駆動パルスを出力させて駆動手段６１０により運針させる。なお、ケース体に標準電波を受信させる旨の図示しないボタンが別途配設され、このボタンが操作されることにより、検出スイッチ７２０がオンオフする構成とするなどしてもよい。
【００５１】
〔電波修正時計の動作〕
次に、上述した構成の電波修正時計１００における時刻修正の動作を図面を参照して説明する。なお、この時刻修正においては、電波修正時計１００に針位置を検出するための構成が設けられていない場合について説明する。図２は、電波修正時計１００の時刻修正の動作を示すフローチャートである。
【００５２】
電波修正時計１００の利用当初では、例えば利用者が表示部５００に表示された時刻を所定の時刻に修正する。なお、利用当初としては、例えば１度も標準電波の受信により時刻修正を実施していない場合、または、ボタン電池の交換後などである。
そして、針位置を検出するための構成である針位置検出手段がないことから、修正する所定時刻としては、例えば０時（１２時）や６時など、利用者が竜頭７１０の操作やボタン操作などにて時刻の修正が実施しやすい時間である。この時刻修正により、制御回路４００は検出スイッチ７２０のオンオフを認識し、時刻修正が実施されたと判断する。そして、制御回路４００は、現時刻情報記憶手段４１０に所定の時刻を記憶させ、時間合わせした指針状況と現時刻情報記憶手段４１０に記憶した時刻とを一致させる。さらに、制御回路４００は、竜頭７１０が押し込まれた状態やボタン操作などにて通常の時計として機能させる通常状態を検出スイッチ７２０のオンオフにて認識すると、基準信号生成部３００からの１Ｈｚのパルス信号に基づいて駆動制御部６１０を制御し、運針を開始させる。
【００５３】
より具体的には、従来のアナログ式水晶時計と同様に、秒針が００秒表示の時に竜頭７１０を引き出し、竜頭７１０の回転で０時００分に設定する。同時に現時刻情報記憶手段４１０には指針位置として０時００分００秒が設定される。指針と現時刻情報記憶手段４１０との基準位置合わせが行なわれる。そして、竜頭７１０を押し込むと従来のアナログ式水晶時計と同様に、基準信号生成部３００からの１Ｈｚのパルス信号に基づいて、現時刻情報記憶手段４１０のカウントアップと駆動制御部６１０を制御し、運針を開始させる。
この状態では、まだ標準電波を受信していないので、電源回路制御手段４３４は、標準電波を１度も受信しておらず、時刻情報として分情報および時情報をも含む時刻情報を取得する必要がある旨の「０」を受信フラグに設定する。そして、この計時を開始した時点から、経過時間検出手段４３１にて時刻の計時を開始する。
【００５４】
なお、この利用当初の時刻合わせの際に、標準電波を強制受信させて正しい現時刻に時刻修正してもよい。この強制受信の実施では、制御回路４００が検出スイッチ７２０のオンオフを認識し、標準電波の強制受信処理であることを認識する。この強制受信処理の認識により、スケジュール情報選択手段４３２が、時刻情報の全てを取得するタイミングスケジュール情報を選択し、受信スケジュール記憶手段４３３に記憶させる。そして、この選択されたタイミングスケジュール情報に基づいて、電源回路制御手段４３４により受信電源回路２４０が動作され、受信回路２２０が動作する。この受信回路２２０の動作により、受信工程が実施される。すなわち、標準電波をアンテナ２１０にて受信し、受信回路２２０およびデコード回路２３０を介して時刻データ（時刻情報）が現時刻修正手段４２０に記憶される。
【００５５】
この受信工程において、標準電波が正しく受信されて時刻データが正しく取得できたか否かについては、例えば現時刻修正手段４２０にて判定する。
具体的には、記憶した時刻データが例えば６８分などのように非存在の時間や日になっていないか、各時刻データ同士がそれぞれ予想される時刻、すなわち、最初のフレームに２分間分を加算した時刻、２つ目のフレームに１分間分を加算した時刻と、３つ目のフレームの時刻とが同一時刻かを判断し、正確な時刻データが取得できたかを判定する。
【００５６】
そして、上述したように現時刻情報記憶手段４１０に記憶された時刻と現時刻修正手段４２０に記憶された時刻とを比較し、現時刻情報記憶手段４１０に記憶された時刻が現時刻修正手段４２０に記憶された時刻となるように所定のパルス信号にてカウント値を加減するとともに、このパルス信号にて駆動制御部６００を駆動させて指針を運針させて時刻修正する。
この時刻修正により、制御回路４００は、受信にて時刻修正した旨の「１」を電源回路制御手段４３４で受信フラグに設定するとともに、経過時間検出手段４３１にて時刻の計時を開始する。なお、受信障害などにより時刻データが正しく取得できなかった場合には、受信できない旨の「０」を電源回路制御手段４３４で受信フラグに設定し、時刻修正は実施せず、経過時間検出手段４３１にて時刻の計時を開始する。
【００５７】
そして、利用者により時刻合わせが実施されると、制御回路４００は、スケジュール情報選択手段４３２により、現時刻情報記憶手段４１０の現時刻とタイミングスケジュール情報とを比較し、適宜現時刻がタイミングスケジュール情報の時間情報の初期設定時刻となった時点で標準電波を自動受信させる。
自動受信として、受信フラグが「０」であることから、分情報および時情報を含む全ての時刻情報を受信させる処理をする。
【００５８】
具体的には、上述した強制受信の場合と同様に、電源回路制御手段４３４により受信電源回路２４０を動作させて受信回路２２０を動作させ、標準電波をアンテナ２１０にて受信させる。そして、正しく時刻情報の全てを受信できた場合には、この受信した時刻情報に基づいて現時刻修正手段４２０にて現時刻情報記憶手段４１０に記憶された現時刻を修正するとともに、駆動制御部６００を制御して指針を現時刻が表示されるように運針させて時刻修正する。
そして、電源回路制御手段４３４は、正しく受信して時刻修正が実行された旨の「１」を受信フラグに設定し、以降は通常受信処理を実施させる。
【００５９】
また、正しく受信できなかった場合には、受信フラグは「０」のままとし、タイミングスケジュール情報に基づいて次回以降で時刻情報の全てを取得する初期受信処理にて正しく受信させ、正しく時刻修正させる。
【００６０】
そして、正しく時刻修正された後は、タイミングスケジュール情報に基づいて順次自動受信させて適宜時刻修正する。
さらに、制御回路４００は経過時間検出手段４３１で検出する経過時間を認識し、条件スケジュール情報の時間情報と比較する。そして、スケジュール情報選択手段４３２が時間情報に対応する条件スケジュール情報を選択する。
【００６１】
具体的には、図２に示すように、まず経過時間が１０日以内か否かを判断する（ステップＳ１）。そして、このステップＳ１で経過時間が１０日以内であると判断すると、その経過時間に対応する時間情報の条件スケジュール情報に基づいて、現時刻情報記憶手段４１０に記憶している現時刻の秒情報のカウンタ値が「４０秒」か否かを判断する（ステップＳ２）。そして、ステップＳ２で、秒情報のカウンタ値が「４０秒」になったことを認識すると、電源回路制御手段４３４により受信工程を実施させる（ステップＳ３）。すなわち、上述したように、受信電源回路２４０を動作させて受信回路２２０を動作させ、標準電波をアンテナ２１０にて受信させる。
この受信した標準電波に基づいて、受信回路２２０およびデコード回路２３０で０秒情報が取得できたか否かを現時刻修正手段４２０で判断する（ステップＳ４）。すなわち、２秒間に２００ｍｓの信号が２回連続したかを判定し、２回連続したことを認識すると、２回目のパルス信号の立ち上がりが現時刻の０秒情報として認識する。
【００６２】
この受信の際、現時刻修正手段４２０は、記憶された時刻情報が正確な時刻データとなっているかを確認し、受信成功か否かを判定する。具体的には、標準電波のパルス状のコード信号の立ち下がりから次の立ち下がりまでの時間間隔が１秒±６２．５ｍｓ以内か否かを立ち下がり毎に判定する。そして、例えば４回連続して１秒±６２．５ｍｓ以内であると判定した場合には、標準電波の受信が成功していると判断する。さらに、現時刻修正手段４２０は、標準電波の受信に成功していると判断することで、０秒情報が取得できたか否かを判断する。
【００６３】
そして、ステップＳ４で、現時刻修正手段４２０が０秒情報を検出した場合、電源回路制御手段４３４は受信電源回路２４０からの電力の供給を停止させ、受信回路２２０を停止させ、受信工程を終了する（ステップＳ５）。そして、現時刻修正手段４２０は、受信部２００で取得した０秒情報に基づき、上述したように、現時刻情報記憶手段４１０に記憶された時刻の秒情報のカウント値が「００秒」となるように秒修正の工程を実施する（ステップＳ６）。
具体的には、現時刻情報記憶手段４１０のカウンタ値が０秒情報に対して＋３０秒未満、すなわち３０秒未満で進んでいると判断した場合には、駆動制御部６００を制御して秒針の運針を停止させるとともに、現時刻情報記憶手段４１０でカウントするカウント値だけカウントアップさせる。また、−３０秒以内、すなわち３０秒以内で遅れていると判断した場合には、現時刻情報記憶手段４１０のカウント値が０秒の指針位置となるように所定のパルスにてカウントアップさせるとともに、この所定のパルスにて駆動制御部６００を制御して秒針５４０を早送りで０秒を指針する状態に運針させる。
この秒修正工程の終了後、経過時間検出手段４３１で計時する経過時間をリセットして再び計時を開始させ（ステップＳ７）、時刻修正の処理を終了する。
【００６４】
また、ステップＳ４において、０秒情報を取得できない、あるいは、標準電波の受信に成功していないと判断した場合には、現時刻情報記憶手段４１０に記憶している現時刻のカウンタ値が「１０秒」か否かを判断する（ステップＳ８）。そして、ステップＳ８において、秒情報のカウンタ値が「１０秒」になったことを認識すると、今回の受信処理は失敗したと判断して電源回路制御手段４３４は受信電源回路２４０からの電力の供給を停止させ、受信回路２２０を停止させ、電力の消費を防止すべく受信工程を終了し（ステップＳ９）、時刻修正の処理を終了する。
【００６５】
一方、ステップＳ１において、経過時間が１０日以内ではないと判断すると、経過時間が２０日以内か否かを判断する（ステップＳ１０）。そして、このステップＳ１０で経過時間が２０日以内であると判断すると、その経過時間に対応する時間情報の条件スケジュール情報に基づいて、現時刻情報記憶手段４１０に記憶している現時刻の秒情報のカウンタ値が「３０秒」か否かを判断する（ステップＳ１１）。このステップＳ１１で、カウンタ値が「３０秒」になったことを認識すると、ステップＳ３と同様に電源回路制御手段４３４により受信工程を実施させる（ステップＳ１２）。
そして、ステップＳ１２における受信にて、ステップＳ４と同様に、０秒情報が取得できたか否かを現時刻修正手段４２０で判断する（ステップＳ１３）。このステップＳ１３で０秒情報を取得できたことを認識すると、ステップＳ５に進む。また、０秒情報を受信できないと判断した場合、現時刻情報記憶手段４１０に記憶している現時刻の秒情報のカウンタ値が「２０秒」か否かを判断する（ステップＳ１４）。そして、ステップＳ１４において、秒情報のカウンタ値が「２０秒」になったことを認識すると、ステップＳ９に進む。
【００６６】
さらに、ステップＳ１０において、経過時間が２０日以内ではないと判断すると、電源回路制御手段４３４は受信フラグに「０」、すなわち時刻情報の分情報および時情報をも取得させる旨を設定し（ステップＳ１５）、図３に示す初期受信処理へ移行する。
この図３に示す初期受信処理では、受信フラグが「１」か否かを判断する（ステップＳ２１）。このステップＳ２１で受信フラグが「１」であると判断した場合には、タイミングスケジュール情報に基づいて標準電波を自動受信させて時刻修正する図２に示す通常受信処理へ移行する。また、ステップＳ２１で受信フラグが「１」ではないと判断すると、受信フラグが「０」で、それまで連続して長期間において、タイミングスケジュール情報に基づく標準電波の自動受信や強制受信がなされず、時刻修正が長期間実施されていないと判断する。
このことにより、電源回路制御手段４３４により受信工程を実施させる（ステップＳ２２）。すなわち、上述したステップＳ３やステップＳ１２と同様に、受信電源回路２４０を動作させて受信回路２２０を動作させ、標準電波をアンテナ２１０にて受信させる。
【００６７】
この後、現時刻修正手段４２０は、受信した標準電波に基づいて、時刻データが正しく取得できたか否かを判断する（ステップＳ２３）。
具体的には、時刻データが例えば６８分などのように非存在の時間や日になっていないか、複数取得したフレームの各時刻データ同士がそれぞれ予想される時刻を表しているか、すなわち連続して受信した時刻データであればそれぞれが１分毎の時刻データとなっていると予測されるため、各データがそのような時刻になっているかを判断し、正確な時刻データが取得できたかを判断する。
【００６８】
そして、ステップＳ２３で、現時刻修正手段４２０が正確な時刻データを取得したと判断すると、上述したステップＳ５およびステップＳ９と同様に、電源回路制御手段４３４は受信電源回路２４０からの電力の供給を停止させ、受信回路２２０を停止させ、受信工程を終了する（ステップＳ２４）。この後、現時刻修正手段４２０は、受信部２００で取得した時刻データに基づいて、現時刻情報記憶手段４１０に記憶された時刻の秒、分および時のカウント値を現時刻となるように修正するとともに、駆動制御部６００にて現時刻を表示する状態に指針を運針させる時刻修正の工程を実施する（ステップＳ２５）。
このステップＳ２５における時刻修正工程の終了後、計時時間検出手段４３１で計時する経過時間をリセットした再び計時を開始させる（ステップＳ２６）。さらに、電源回路制御手段４３４は受信フラグに「１」を設定し、移行はタイミングスケジュール情報に基づいて自動受信させて時刻修正させる通常受信処理を実施させる設定をして（ステップＳ２７）、時刻修正の処理を終了する。
【００６９】
一方、ステップＳ２３において、正確な時刻データの取得に失敗したと判断した場合、受信開始から５分経過したか否かを判断する（ステップＳ２８）。そして、ステップＳ２８で、受信開始から５分経過したことを認識すると、電源回路制御手段４３４は受信電源回路２４０からの電力の供給を停止させ、受信回路２２０を停止させ、電力の消費を防止すべく受信工程を終了し（ステップＳ２９）、時刻修正の処理を終了する。
すなわち、この状態では、まだ長期間において標準電波の受信による時刻修正がなされず、初期受信処理を実施させる受信フラグが「０」の状態となっている。このため、タイミングスケジュール情報に基づいて、次に受信して時刻修正をする場合には、図３に示す初期受信処理が実施される。
【００７０】
〔電波修正時計の作用効果〕
上記一実施の形態によれば、次の作用効果を奏することができる。
（１）タイミングスケジュール情報に基づく定期的な受信動作で正しく時刻情報を受信できない状態が続いた場合、経過時間検出手段４３１によって検出した前回の標準電波を受信してからの経過時間が所定時間以上を経過した場合、スケジュール情報選択手段により、その所定時間に対応して初期設定時刻より受信を開始するタイミングが早い条件スケジュール情報を選択し、初期設定時刻より早い（長い）タイミングで時刻情報を受信させる制御をする。
このため、例えば、ビル内などの標準電波を受信し難い場所に電波修正時計１００が放置されていたり、海外に旅行、出張などで滞在して標準電波を受信できない場合など、長期間で電波受信に失敗している場合、その受信を失敗している期間に応じて基準クロックに基づいて計時する現時刻に生じる誤差が大きくなっても、その誤差を見込んで早めのタイミングで時刻情報を受信させるので、誤差を見込んだ最小限の時間で必要な時刻情報を取得させることとなり、標準電波の受信動作の消費電力を最小限に抑制できる。したがって、電池駆動の場合であれば電池寿命を長期化でき、コンセントからの商用電源を用いている場合でも省エネルギ化を図ることができる。
【００７１】
（２）初期設定時刻および条件スケジュール情報の初期設定時刻より所定時間早い時刻を、基準信号生成部３００に基づいて計時する現時刻の秒情報が０秒である現時刻情報記憶手段４１０のカウント値が「００秒」となる基準時刻を基準として設定している。このため、例えば受信する時刻情報として少なくとも０秒情報を取得することが容易となり、受信を開始させる時刻として基準時刻を基準に例えば誤差分を考慮するのみでよく、受信時間の短縮が容易に図れ、省電力化を容易に図ることができる。
【００７２】
（３）条件スケジュール情報が、経過時間の長さに応じて受信を開始させる時間が次第に早くなる時間情報に複数設定されている。
このため、受信する時刻情報に基づいて現時刻の修正ができなくなる経過時間が長くなるに従って現時刻に生じ得る誤差も大きくなるので、最小限の時間で時刻情報を良好に受信することができる。
【００７３】
（４）経過時刻の長さに応じて標準電波を受信させる時間である作動時間間隔が長くなる。
このため、経過時刻の長さが長くなるにしたがって誤差が大きくなって、秒単位以上の分や時で誤差が生じても、作動時間間隔を長くして分情報や時情報などを取得することで、現時刻を正しく修正できる。また、経過時間に応じて複数の条件スケジュール情報を選択することで、より詳細なスケジュール管理が実施され、消費電力をさらに最小限に抑制することができる。
【００７４】
（５）計時の精度と経過時間とに基づいて、受信を開始させる初期設定時刻より早くなる時刻を設定している。
このため、例えば時刻修正に必要な時刻情報の一部である０秒情報を取得するために、計時時間に伴って変動する計時の精度を考慮して受信を開始する時刻を設定するので、最小限の時間で時刻情報の良好な受信を容易に得ることができる。
【００７５】
（６）月差精度の単位時間当たりの精度に経過時間を乗算した時間と、受信に必要な処理時間とに基づいて受信を開始させる初期設定時刻より早くなる時刻を設定している。
このため、例えば時刻修正に必要な時刻情報の一部である０秒情報を取得するために、計時時間に伴って変動する計時の精度に、受信に必要な処理時間が考慮されて受信を開始する時刻が設定されるので、最小限の時間で時刻情報の良好な受信が確実に得られ、良好な時刻修正を得ることができる。
【００７６】
（７）スケジュール情報選択手段４３２により、定期的に時刻情報を受信させる時刻に関して初期設定時刻である「００秒」に対応した時間情報を有したタイミングスケジュール情報に基づいて定期的に時刻情報を受信させる際、受信させる時の経過時間に基づいて条件スケジュール情報を選択する。
このため、タイミングスケジュール情報にて定期的に受信させる動作を実施させ、そのタイミングスケジュール情報に基づく受信が長期間失敗している場合、タイミングスケジュール情報に基づいて次に受信させる際には、その経過時間に対応して条件スケジュール情報を選択するので、簡単なスケジュール情報の設定で、最小限の時間で良好に時刻情報を受信させる構成が容易に得られる。
【００７７】
（８）正しい秒情報を含む時刻情報を受信した場合、スケジュール情報選択手段４３２により、タイミングスケジュール情報に基づいて次に受信する際の条件スケジュール情報の受信を開始させるタイミングとして、初期設定時刻に設定、具体的には受信フラグに「１」を設定して通常受信処理とする。
このため、正しい時刻情報の取得で現時刻が時刻修正されることで、次に定期的に受信する際には経過時間が短くほとんど誤差が生じていないので、初期設定時刻から早くするタイミングの早くする時間も短くなるので、通常の時刻修正のための時刻情報の受信スケジュールとすればよく、効率的な時刻情報の受信ができる。
【００７８】
（９）経過時間検出手段４３１により、受信部２００で時刻情報を受信した時からの経過時間を基準クロックに基づいて計時する。
このため、計時により生じる現時刻の誤差と経過時間とが対応するので、経過時間に基づいて受信するタイミングが条件スケジュール情報にて設定されても良好な受信を開始させるタイミングの条件が設定され、良好に時刻情報の取得ができる。
【００７９】
（１０）表示部５００で表示され基準クロックに基づいてカウントアップされる現時刻情報記憶手段４１０に記憶する現時刻を、現時刻修正手段４２０にて受信部２００にて受信した時刻情報に修正する。
このため、例えば指針にて現時刻を表示する場合の指針の位置を検出する検出手段を備えない構成では、竜頭７１０にて指針を所定の時刻に修正して現時刻と表示される時刻とを一致させる処理をすればよく、また検出手段を備える構成においては表示する現時刻と記憶する現時刻とが一致するので、いずれの構成においても正しく現時刻を修正させることが可能となり、汎用性を向上できる。
【００８０】
（１１）一度も標準電波を受信していない場合には、受信部電源供給制御手段４３０により時情報および分情報を含む時刻情報を受信部２００にて受信させる。
このため、タイミングスケジュール情報に基づいて受信させる際、例えば針位置を検出する検出手段を備えない構成においても、強制的に時刻情報の全てを受信させるスケジュールを実行させることで、表示される現時刻と、カウントする現時刻とが一致され、移行の定期的な受信処理にて秒情報を取得するのみでも正しく現時刻を修正できる。
【００８１】
〔他の実施の形態〕
なお、本発明は、上記一実施の形態に限定されるものではなく、本発明の目的を達成できる範囲での変形、改良などは、本発明に含まれるものである。
すなわち、本発明の電波修正時計１００としては、カレンダ機能をしたものなどでもよく、指針表示式、デジタル表示式などを問わず、腕時計や懐中時計などの携帯時計、掛時計や置時計などの設置型時計など、様々な時計に適用できる。また、ボタン電池にて駆動させて説明したが、上述したように、照光交流電源を用いるものや、例えば太陽電池あるいはゼンマイ式または体温を利用する構成などの発電式の構成でもよく、駆動源としてはいずれの構成でもできる。
【００８２】
そして、経過時間検出手段４３１としては、受信時刻と現時刻との差を算出して経過時間を求めるようにしてもよい。すなわち、現時刻修正手段４２０から入力される受信時刻（修正時刻）を記憶する受信時刻記憶手段と、この受信時刻記憶手段に記憶された受信時刻と、現時刻情報記憶手段４１０からの現時刻情報との差、つまり経過時間を経過時間算出手段で算出するようにしてもよい。この場合には、経過時間を算出するときのみ経過時間算出手段を作動させればよいので、消費電力を少なくできるという利点がある。すなわち、経過時間算出手段も受信回数で算出すればよいこととなり、その分、消費電力を低減できる。例えば、自動受信が１回／日で行なわれるとすれば、連続して１０回受信不可の場合、上述した図２に示すステップＳ１の動作と同様に動作されて処理される。
【００８３】
また、条件スケジュール情報としては、３つの経過時間区分に限らず、初期設定時刻より早いタイミングで受信させる条件のスケジュールを１つのみ設定してもよく、２つ以上の複数設定してもよい。なお、経過時間が長くなるに従ってタイミングが初期設定時刻より早くなるように設定させる。このことにより、経過時間が長くなって誤差が大きくなるような場合でも適切に対応でき、最小限の消費電力で適切に時刻情報を取得させることができる。
さらに、作動時間間隔も長く設定するとよい。この場合でも、誤差が大きくなっても分情報および時情報を取得することで正しく時刻修正できることとなる。
【００８４】
そして、スケジュール情報として、タイミングスケジュール情報の初期設定時刻に基づくタイミングで条件スケジュール情報の受信条件に基づいて受信を制御して説明したが、１日あるいはそれ以上の所定間隔で、タイムコードの１フレーム分、すなわち分情報および時情報などをも合わせて時刻情報の全てを取得させる受信の条件を条件スケジュール情報に別途設定してもよい。
なお、時刻情報の全てを取得させる初期設定における条件としては、例えば電気製品の作動が少なく電波受信条件の良い午前２時などに標準電波を受信するように初期設定時刻を設定しておくことが好ましい。この時刻情報の全てを取得する条件は、設定された時刻に基づいて自動受信させる場合の他、例えば外部操作入力部７００の強制受信させる旨の操作の際にも利用されるスケジュール情報である。
【００８５】
また、針位置検出手段を有しない構成について説明したが、針位置検出手段を備えた構成としてもよい。この場合には、例えば利用当初で時報などに基づいて手動により時刻を修正することで、表示する現時刻と現時刻情報記憶手段４１０で記憶する時刻とが針位置検出手段にて一致されるので、タイミングスケジュール情報に基づいて次に時刻情報を受信する場合には、時刻情報の一部である秒情報のみを受信する構成とすることができる。すなわち、時刻情報の全てを受信して計時する現時刻と表示する現時刻とを一致させる処理や操作などが不要となる。
このため、初期設定のための時刻情報の全てを受信する電力消費を防止でき、より省エネルギ化を図ることができる。
また、デジタル表示式の場合には、表示させる時刻を現時刻情報記憶手段４１０に記憶する現時刻に基づいて表示させればよいことから、針位置検出手段を備えた場合と同様の効果が得られる。
【００８６】
そして、図２および図３に示す動作を実行させる回路構成である図１に示す各回路や手段は、各種論理素子などのハードウェアで構成されたものに限らず、ＣＰＵ（中央処理装置）、メモリ（記憶装置）などを備えたコンピュータを電波修正時計１００内に設け、このコンピュータに所定のプログラムやデータ（各記憶部に記憶されたデータ）を組み込んで各回路や手段を実現させるように構成したものでもよい。
例えば、電波修正時計１００内にＣＰＵやメモリを配置してコンピュータとして機能できるように構成し、このメモリに所定の制御プログラムやデータをインターネットなどの通信手段や、ＣＤ−ＲＯＭ、メモリカードなどの記録媒体を介してインストールし、このインストールされたプログラムでＣＰＵなどを動作させ、竜頭７１０の操作により適宜時刻を修正させればよい。
なお、電波修正時計１００に所定のプログラムなどをインストールするには、その電波修正時計１００にメモリカードやＣＤ−ＲＯＭなどを直接差し込んで実施したり、これらの記憶媒体を読み取る機器を外付けで電波修正時計１００に接続したりしてもよい。さらには、ＬＡＮケーブル、電話線などを電波修正時計１００に接続して通信によってプログラムなどを供給しインストールしてもよく、アンテナ１３０を備えていることから無線によってプログラムを供給してインストールするなどしてもよい。
【００８７】
このような記録媒体やインターネットなどの通信手段で提供される制御プログラムなどを電波修正時計１００に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電波修正時計１００を製造できるため、部品の共通化などが図れ、バリエーション展開時の製造コストを大幅に低減できる。
【００８８】
また、電波修正時計１００としての機能、すなわち受信部２００、基準信号生成部３００、制御回路４００、表示部５００、駆動制御部６００、外部操作入力部７００などの各構成は、前記実施形態のものに限らず、従来から知られている電波修正時計の各手段が利用できる。
そして、デジタル表示式のように、竜頭７１０を設けない構成としてもよい。また、強制受信のためのボタンを有しない構成や竜頭操作７１０にて強制受信させる構成を設けなくてもよい。
また、受信対象局の数や具体的な国（地域）などは、実施にあたって適宜設定すればよい。
【００８９】
その他、本発明の実施の際の具体的な構造および手順は、本発明の目的を達成できる範囲で他の構造などに適宜変更できる。
【００９０】
【発明の効果】
以上説明したように、本発明の電波修正時計およびその制御方法によれば、受信動作で正しく時刻情報を受信できない状態が続いた場合、前回の標準電波を受信してからの経過時間の長さに対応して受信を開始させる時刻が初期設定時刻より早い時刻で初期設定時刻で受信させる時間長より長い時間で時刻情報を受信させる制御をするため、受信の際の電力の消費を最小限に抑えることができ、省電力化を図ることができる。
【００９１】
また、本発明の電波修正時計およびその制御方法によれば、受信動作で正しく時刻情報を受信できない状態が続いた場合、前回の標準電波を受信してからの経過時間が所定時間以上を経過した場合、所定時間に対応して初期設定時刻より受信を開始する時刻が早い条件スケジュール情報を選択し、初期設定時刻より早い時刻で時刻情報を受信させる制御をするため、受信の際の電力の消費を最小限に抑えることができ、省電力化を図ることができる。
【図面の簡単な説明】
【図１】本発明の一実施の形態における電波修正時計の概略構成を示すブロック図である。
【図２】前記一実施の形態における電波修正時計の時刻修正の通常受信処理を示すフローチャートである。
【図３】前記一実施の形態における電波修正時計の時刻修正の初期受信処理を示すフローチャートである。
【符号の説明】
１００…電波修正時計、２００…受信部（受信手段）、５００…表示部（表示手段）、２４０…受信電源回路（受信電源手段）、４１０…現時刻情報記憶手段（計時手段）、４２０…現時刻修正手段、４３０…受信部電源供給制御手段、４３１…経過時間検出手段、４３２…スケジュール情報選択手段、４３３…受信スケジュール記憶手段、４３４…電源回路制御手段（電源手段制御手段）
【図１】
2004279107.tif 000003
【図２】
2004279107.tif 000004
【図３】
2004279107.tif 000005